(57)【要約】      （修正有）【課題】使用態様に変化が生じた場合を強制的に警報することで単調な器具という印象とは異なる意識を持たせることが可能な構成を備えた態位可変具を提供する。【解決手段】通常態位とこの態位とは異なる態位とに変化する対象物に相当する態位可変具であって、該態位可変具としてけん玉１が用いられ、該けん玉１は、玉が嵌めこまれる位置あるいは搭載される位置に圧力変化による作動する感知手段６，７と、該感知手段６，７において前記玉による圧力が生じた場合に出力される信号により警報手段を作動させる制御部とを備えていることを特徴としている。【選択図】図１
0003115922.tif 000002
【実用新案登録請求の範囲】
【請求項１】
通常態位とこの態位とは異なる態位とに変化する対象物を検知する機構であって、
前記対象物に作用する外圧を感知する手段と、
前記感知手段からの信号により態位が変化したことを警報する手段とを備えたことを特徴とする態様変化検知機構。
【請求項２】
請求項１記載の態様変化検知機構を備えた態位可変具であって、
該態位可変具としてけん玉が用いられ、該けん玉は、玉が嵌めこまれる位置あるいは搭載される位置に圧力変化による作動する感知手段と、該感知手段において前記玉による圧力が生じた場合に出力される信号により警報手段を作動させる制御部とを備えていることを特徴とする態位可変具。
【請求項３】
請求項２記載の態位可変具において、
前記警報手段は光あるいは振動もしくは音を用いる手段であることを特徴とする態位可変具。
【請求項４】
請求項１記載の態様変化検知機構を用いる態位可変具であって、
該態位可変具は、互いに重畳可能な一対の板部材を備え、互いに重畳された際の圧力を感知する感知手段と、該感知手段による圧力検知結果に応じて警報する制御部とを備えていることを特徴とする態位可変具。
【請求項５】
請求項４記載の態位可変具において、
互いに重畳される一対の板部材は、折り畳みあるいは回動することで重畳態位およびこの態位解除が可能な構成を備えていることを特徴とする態位可変具。
【考案の詳細な説明】
【技術分野】
【０００１】
本考案は、態様変化検知機構および態位可変具に関し、さらに詳しくは、通常態位から態位が変化した状態を認識させることができる機構およびこれを用いた態位可変具に関する。
【背景技術】
【０００２】
周知のように、通常態位あるいは初期態位から力の作用あるいは姿勢変化により態様が変化する器具として、物体が搭載されるかされないかという形態を採る、例えば、けん玉などの遊具や、折り曲げあるいは折り畳みなどができる手鏡などの携帯器具がある。
【０００３】
遊具の一つであるけん球は、円錐棒状のけんと、けんの長手方向一部において横方向に張り出した状態で設けられて両端に玉受けとなる大皿および小皿がそれぞれ位置している皿胴と、けんの一部に一端が固定された紐の他端に取り付けられて、けん先に嵌る大きさの穴が形成された玉とで構成されている。
けん玉は、けん先から玉を抜き出し、その玉を再度、けん先にあるいは大皿や小皿に嵌めこんだり載せるという遊技が行える。
【考案の開示】
【考案が解決しようとする課題】
【０００４】
けん玉は、けん先に玉が嵌めこまれたりあるいは大皿や小皿に玉が載せられるのを遊技者が目視しながら遊戯するのが通常であるが、このような遊戯状態では寡黙なものとなりがちであり、遊技者の興味よりも集中力の発揮状態に依存することが多く、いうなれば、集中する以外の楽しみや意外性をあまり期待できないのが現状である。
一方、携帯器具を使用する際も単に使用目的のみが主眼となることがおおく、単調な印象を与えることが多い。
【０００５】
本考案は上記態様が変化する器具を対象とした場合の問題に鑑み、使用態様に変化が生じた場合を強制的に警報することで単調な器具という印象とは異なる意識を持たせることが可能な構成を備えた態様変化検知機構および態位可変具を提供することを目的としている。
【課題を解決するための手段】
【０００６】
請求項１記載の考案は、通常態位とこの態位とは異なる態位とに変化する対象物を検知する機構であって、前記対象物に作用する外圧を感知する手段と、前記感知手段からの信号により態位が変化したことを警報する手段とを備えたことを特徴としている。
【０００７】
請求項２記載の考案は、請求項１記載の態様変化検知機構を備えた態位可変具であって、該態位可変具としてけん玉が用いられ、該けん玉は、玉が嵌めこまれる位置あるいは搭載される位置に圧力変化による作動する感知手段と、該感知手段において前記玉による圧力が生じた場合に出力される信号により警報手段を作動させる制御部とを備えていることを特徴としている。
【０００８】
請求項３記載の考案は、請求項２記載の態位可変具において、前記警報手段は光あるいは振動もしくは音を用いる手段であることを特徴としている。
【０００９】
請求項４記載の考案は、請求項１記載の態様変化検知機構を用いる態位可変具であって、該態位可変具は、互いに重畳可能な一対の板部材を備え、互いに重畳された際の圧力を感知する感知手段と、該感知手段による圧力検知結果に応じて警報する制御部とを備えていることを特徴としている。
【００１０】
請求項５記載の考案は、請求項４記載の態位可変具において、互いに重畳される一対の板部材は、折り畳みあるいは回動することで重畳態位およびこの態位解除が可能な構成を備えていることを特徴としている。
【考案の効果】
【００１１】
請求項１記載の考案によれば、感知手段を用いて圧力変化を態様変化として検知することにより態様の変化を確実に検知することが可能となる。
【００１２】
請求項２および３記載の考案によれば、態様検知対象となる圧力の検知が可能な態位可変具としてけん玉を対象としているので、けん先に玉が嵌り込んだ場合や大皿あるいは小皿に玉が載った時を警報でき、特に、請求項３記載の考案においては、光や音あるいは振動による警報ができることにより、集中以外の警報という意外性を持たせて遊技自体の興趣性を高めることが可能となる。
【００１３】
請求項４および５記載の考案によれば、検知対象となる圧力の検知が可能な態位可変具として互いに重畳される一対の板部材を備えた構成としているので、特に請求項５記載の考案においては、折り畳みあるいは回動することで重畳態位緒呼び子の態位解除ができる構成に用いることで正常な態位、つまり重畳状態にない時の判別や重畳態位を解除した状態での使用時などでの単調性、例えば、手鏡や折り畳みブラシなどの携帯器具とした場合の使用時での単調性をなくすことが可能となる。
【考案を実施するための最良の形態】
【００１４】
以下、図に示す実施例により本考案を実施するための最良の形態について説明する。
【実施例】
【００１５】
図１は、態位可変具の一つとしてけん玉を示しており、けん玉１は、十字状をなす円錐棒状のけん部２と、けん部２に対して横方向に張り出して両端に大皿部３Ａ、小皿部３Ｂを備えた皿胴３と、けん２の一部に結索された一端を有し他端に玉４が取り付けられている紐５とで構成されている。
けん２は大径部側が握り部側として用いられ、けん先が玉４を嵌めこむ嵌合部として用いられるようになっている。
【００１６】
図１に示すけん玉には、玉４がけん先に嵌合した場合や皿胴３の各皿部３Ａ、３Ｂに載せられた際の圧力変化を感知するための構成が設けられている。
圧力変化を感知する手段としては、けん先の位置角における外周面に一部が突出しているリミットスイッチ６，大皿部３Ａおよび小皿部３Ｂの底部中心に配置されたプッシュスイッチ７が用いられ、これら感知手段として用いられるスイッチ６，７は、警報手段の動作制御に用いられる制御部８に接続されている。なお、これらスイッチ６，７は、圧力を受けて作動するアクチュエータにより圧力変化を検知可能なピエゾ素子などを用いることも可能である。
【００１７】
図２は、制御部８の構成を説明するためのブロック図であり、同図において制御部８は、主要部がマイクロコンピュータおよび警報内容を複数種類格納しているＲＯＭを主要部材としてけん部２に内蔵された基板（図２において二点鎖線で示す）に設けられている。
制御部８は、図示しないインターフェースを介して入力側に前述したスイッチ６，７を用いる感知手段およびけん部２に内蔵されている電源部に接続されてけん部２の握り部側の外周面に配置されている電源スイッチ（図１，２において符号９で示す）が接続され、出力側には警報手段１０が接続されている。
警報手段１０は、光、音あるいは振動を生起できる部材が用いられ、本実施例では、けん部２の大径底部に配置されたスピーカ１１が用いられている。
制御部８では、電源スイッチ９が投入されると各感知手段であるスイッチのオンオフ状態により警報手段の動作態位を設定あるいは選択するとともに警報時間の設定が行えるようになっており、特に、けん先部と皿部とのいずれかに玉４が位置して圧力が作用した場合毎に異なる警報が選択できるようになっている。なお、選択する構成でなくともよいことはもちろん可能である。また、警報時間としては、スイッチからの信号入力（オン状態に転じた場合）と同時に警報を開始し、スイッチがオフに転じた後、数秒間継続する時間に設定されている。
本実施例では、光や音の場合には点灯状態や周波数あるいは曲の種類を異ならせたり振動の場合には振動数を異ならせたりすることができるようになっている。
【００１８】
本実施例は以上のような構成であるから、けん部２が握られるとその握られた際の圧力によって電源スイッチ９が投入され、感知手段であるスイッチ６，７を含む閉回路が構成されて制御部８が各スイッチ６，７からの信号の入力状態に応じて動作することができる。
けん先に配置されたリミットスイッチ６および大皿部３Ａや小皿部３Ｂに設けてあるプッシュスイッチ７のいずれからかの信号が制御部８に入力されると、制御部８では、いずれのスイッチからの入力であるかを判別し、その類別に応じた警報を行う。なお、いずれのスイッチからの入力に対しても同様な警報内容であってもよい。
図１に示す実施例では、警報手段として用いられているスピーカ１１を介してメロディやブザー音などが発せられる。
【００１９】
本実施例によれば、単に玉の嵌合や載せることにのみ意識が行きがちな遊技の内容に意外性を持たせることが可能となる。なお、制御部８に用いられる構成としては、直列接続された電源部、電源スイッチ９に対して並列接続された各スイッチを配置し、これら各スイッチ群の結線部にＩＣメモリおよびこれに対して警報手段１０を直列接続して回路構成を単純化することも可能である。
【００２０】
次に、圧力の変化を検知することができる対象としての態位可変具の変形例として、折り畳みや回動により重畳状態から互いに離れることで重畳状態の解除ができる一対の板部材を備えた構成を説明する。
図３には、折り畳みにより重畳状態から互いに離れた状態となる一対の板部材を備えた構成の例として、携帯用のヘヤーブラシが示されている。
図３に示すヘヤーブラシ２０は、ヒンジ結合部（図中、符号２０Ａで示す）を介して折り畳みが可能な構成であり、ヒンジ結合部２０Ａをはさんで一方の板部材２１が握り部として、他方の板部材２２が髪梳き部、いわゆる、ブラシ部とされている。
図３に示す構成においては、ヒンジ結合部２０Ａにおいて互いに対面する板部材２１，２２の対向面のいずれかに図２に示したリミットスイッチ６あるいはプッシュスイッチ７などと同様な感知手段（便宜上、図３において符号２３で示す）が設けられており、この感知手段２３は、図２に示した制御部８に接続され、図示しないがいずれかあるいは両方の板部材に内蔵された警報手段による警報通知が行えるようになっている。
なお、図３においては、ブラシ部となる他方の板部材２２の内部を透視した状態が示されており、板部材２１の内部には制御部８を構成する基板（便宜上、符号８’で示す）および電源としての蓄電池（便宜上、符号８Ａで示す）が装備されている。
ブラシ部となる他方の板部材２２は、二重筒構造とされており、内装されたブラシ部を外側に引き出すことができ、図３に示す状態である引き出すことで蓄電池８Ａが外部に露呈されて交換が行えるようになっている。
【００２１】
折り畳みによる重畳状態から開いて使用する状態に変化させる態位可変具の別例として、図４に示すように折り畳まれて互いに重なり合う面の一方に感知手段（便宜上、符号Ｓで示す）を配置する構成がある。
図４に示す構成は、携帯の化粧具としてのコンパクトブラシあるいはコンパクトと称される品物であり、一方の板部材３０の長手方向一端に設けてある支軸受け部３０Ａに他方の板部材３１の支軸受け部３１Ａを貫通させた支軸を設けて開閉することで折り畳むことにより板部材同士の対向面を重ね合わせることができるようになっている。
なお、図４においては、図３に示した制御部８が装備されている基板および蓄電池８Ａがミラーを配置した側の板部材３０に内蔵されており（便宜上、図３において用いた符号８’で示してある）、蓄電池８Ａの交換は、ミラー３０Ｂの配置面と反対側の板部材外装面を取り外すことで行えるようになっている。
また、図３および図４に示したような化粧具においては、警報手段として音や振動とは別に、光を利用する部材を用いることでミラーに映る対象を照明することができる。
【００２２】
図５および図６は、さらに他の例を示す図であり、これら各図に示す例は、回動することで重畳状態およびこの状態を解除できる構成を備えている。
図５に示す態位可変具は、エチケットブラシとして用いられるものであり、一対の板部材４０，４１の一部４２を重合させた回動支点とし、この回動支点を中心に互いに重畳する位置とこの位置から１８０度回動させて開くことで重畳態位を解除することができる。この構成においては、互いに重なっている板部材の回動支点部の一方に感知手段（図５中、符号Ｓで示す状態）を設け、互いに重なった状態から離れて圧力が解消された時点で警報するようになっている。
図６に示す態位可変具は、回動させることで鞘５０の部分からブラシ部５１を張り出させることができるネールブラシとして用いられるものであり、この構成では、図示しないが、鞘５０内に感知手段を設け、ブラシ部５１が格納された状態から外部に向けて回動した際の圧力解除を感知することにより警報する構成が用いられる。いずれの構成においても図２に示した制御部８が用いられる。なお、図５および図６において制御部および蓄電池は図３に用いた符号８’、８Ａで示してある。
【図面の簡単な説明】
【００２３】
【図１】本考案実施例による圧力変化検知機構を採用した態位可変具の一つであるけん玉を示す図である。
【図２】図１に示したけん玉に用いられる圧力検知機構に用いられる制御部の構成を説明するためのブロック図である。
【図３】図１に示した態位可変具の別例を示す図である。
【図４】図３に示した態位可変具のさらに別の例を示す図である。
【図５】態位可変具の他の例を示す図である。
【図６】態位可変具のさらに他の例を示す図である。
【符号の説明】
【００２４】
１          けん玉
２          けん
３          皿胴
４          玉
６，７      圧力感知手段としてのスイッチ
８          制御部
１０        警報手段
１１        スピーカ
２０，２１  板部材
【図１】
0003115922.tif 000003
【図２】
0003115922.tif 000004
【図３】
0003115922.tif 000005
【図４】
0003115922.tif 000006
【図５】
0003115922.tif 000007
【図６】
0003115922.tif 000008
【手続補正書】
【提出日】平成17年4月1日(2005.4.1)
【手続補正１】
【補正対象書類名】実用新案登録請求の範囲
【補正対象項目名】全文
【補正方法】変更
【補正の内容】
【実用新案登録請求の範囲】
【請求項１】
対象物の態位により生ずる外圧を感知する感知手段および前記感知手段からの信号により態位が変化したことを警報する警報手段とを含む態様変化検知機構を設け対象物の可変態位に基づいて警報を発生するように構成した態様変化検知機構を備えた態位可変具。
【請求項２】
請求項１記載の態様変化検知機構を備えた態位可変具において、
前記態位可変具としてけん玉が用いられ、
前記けん玉のけんには玉が嵌めこまれる位置あるいは搭載される位置にけん玉の玉から受ける圧力変化により作動する感知手段と、
前記感知手段において前記玉による圧力が生じた場合に出力される信号により警報手段を作動させる制御部とを備えていることを特徴とする態様変化検知機構を備えた態位可変具。
【請求項３】
請求項２記載の態様変化検知機構を備えた態位可変具において、
前記警報手段は光あるいは振動もしくは音を用いる手段であることを特徴とする態様変化検知機構を備えた態位可変具。
【請求項４】
請求項１記載の態様変化検知機構を備えた態位可変具において、
前記態位可変具は、互いに重畳可能な一対の板部材を備え、互いに重畳された際の圧力を感知する感知手段と、該感知手段による圧力検知結果に応じて警報する制御部とを備えていることを特徴とする態様変化検知機構を備えた態位可変具。
【請求項５】
請求項４記載の態様変化検知機構を備えた態位可変具において、
互いに重畳される一対の板部材は、折り畳みあるいは回動することで重畳態位およびこの態位解除が可能な構成を備えていることを特徴とする態様変化検知機構を備えた態位可変具。
【手続補正３】
【補正対象書類名】明細書
【補正対象項目名】０００１
【補正方法】変更
【補正の内容】
【０００１】
本考案は、態様変化検知機構をもつ態位可変具に関し、さらに詳しくは、通常態位から態位が変化した状態を認識させることができる機構およびこれを用いた態様変化検知機構を備えた態位可変具に関する。
【手続補正４】
【補正対象書類名】明細書
【補正対象項目名】０００５
【補正方法】変更
【補正の内容】
【０００５】
本考案は上記態様が変化する器具を対象とした場合の問題に鑑み、使用態様に変化が生じた場合を強制的に警報することで単調な器具という印象とは異なる意識を持たせることが可能な構成を備え態様変化検知機構を備えた態位可変具を提供することを目的としている。
【手続補正５】
【補正対象書類名】明細書
【補正対象項目名】０００６
【補正方法】変更
【補正の内容】
【０００６】
請求項１記載の態様変化検知機構を備えた態位可変具は、
対象物の態位により生ずる外圧を感知する感知手段および前記感知手段からの信号により態位が変化したことを警報する警報手段とを含む態様変化検知機構を設け対象物の可変態位に基づいて警報を発生するように構成されている。
【手続補正６】
【補正対象書類名】明細書
【補正対象項目名】０００７
【補正方法】変更
【補正の内容】
【０００７】
請求項２記載の態様変化検知機構を備えた態位可変具は、
請求項１記載の態様変化検知機構を備えた態位可変具において、
前記態位可変具としてけん玉が用いられ、
前記けん玉のけんには玉が嵌めこまれる位置あるいは搭載される位置にけん玉の玉から受ける圧力変化により作動する感知手段と、
前記感知手段において前記玉による圧力が生じた場合に出力される信号により警報手段を作動させる制御部とを備えていることを特徴とする。
【手続補正７】
【補正対象書類名】明細書
【補正対象項目名】０００８
【補正方法】変更
【補正の内容】
【０００８】
請求項３記載の態様変化検知機構を備えた態位可変具は、
請求項２記載の態様変化検知機構を備えた態位可変具において、
前記警報手段は光あるいは振動もしくは音を用いる手段であることを特徴とする。
【手続補正８】
【補正対象書類名】明細書
【補正対象項目名】０００９
【補正方法】変更
【補正の内容】
【０００９】
請求項４記載の態様変化検知機構を備えた態位可変具は、
請求項１記載の態様変化検知機構を備えた態位可変具において、
前記態位可変具は、互いに重畳可能な一対の板部材を備え、互いに重畳された際の圧力を感知する感知手段と、該感知手段による圧力検知結果に応じて警報する制御部とを備えていることを特徴とする。
【手続補正９】
【補正対象書類名】明細書
【補正対象項目名】００１０
【補正方法】変更
【補正の内容】
【００１０】
請求項５記載の態様変化検知機構を備えた態位可変具は、
請求項４記載の態様変化検知機構を備えた態位可変具において、
互いに重畳される一対の板部材は、折り畳みあるいは回動することで重畳態位およびこの態位解除が可能な構成を備えていることを特徴とする。